(57)【特許請求の範囲】
【請求項１】
入力された動画像信号と音声信号とを合成した記録データを一時記憶する一時記憶手段と、
記録開始から記録停止までの間、記録期間と不記録期間とを交互に繰り返しながら、前記一時記憶手段に記憶された動画像信号と音声信号とを前記記録データのデータレートよりも高いレートで記録媒体に記録する記録手段と、
前記入力された音声信号のレベルがある一定値よりも小さいことを検出する音声変化検出手段と、
前記記録媒体のインデックス記録領域をシークし、前記記録媒体に記録された動画像信号と音声信号とを再生するために必要なインデックス情報を前記記録媒体に記録するインデックス記録手段とを備え、
前記インデックス記録手段は、前記動画像信号と音声信号の記録停止に応じて前記インデックス情報を記録すると共に、前記記録開始から記録停止までの間に前記音声変化検出手段の検出出力があった場合には、前記不記録期間に前記インデックス記録領域をシークして前記インデックス情報を記録することを特徴とする動画像記録装置。
【請求項２】
入力された動画像信号と音声信号とを合成した記録データを一時記憶する一時記憶手段に記憶された動画像信号と音声信号とを、記録開始から記録停止までの間、記録期間と不記録期間とを交互に繰り返しながら、前記記録データのデータレートよりも高いレートで記録媒体に記録する記録工程と、
前記入力された音声信号のレベルがある一定値よりも小さいことを検出する音声変化検出工程と、
前記記録媒体のインデックス記録領域をシークし、前記記録媒体に記録された動画像信号と音声信号とを再生するために必要なインデックス情報を前記記録媒体に記録するインデックス記録工程とを備え、
前記インデックス記録工程においては、前記動画像信号と音声信号の記録停止に応じて前記インデックス情報を記録すると共に、前記記録開始から記録停止までの間に前記音声変化検出工程において検出出力があった場合には、前記不記録期間に前記インデックス記録領域をシークして前記インデックス情報を記録することを特徴とする動画像記録方法。
【発明の詳細な説明】
【０００１】
【発明の属する技術分野】
本発明は動画像記録装置及び動画像記録方法に関し、特に、ディジタル動画像記録を行なう動画像記録装置に用いて好適なものである。
【０００２】
【従来の技術】
動画像記録を行う装置において、従来はインデックス情報（ＴＯＣ：Ｔａｂ１ｅ  Ｏｆ  Ｃｏｎｔｅｎｔｓ）の記録媒体への記録は、シーン（記録開始から、記録停止までの間）記録動作を終了した後に行っていた。
【０００３】
再生時は、上記ＴＯＣの情報を基に所望のシーンを再生するため、ＴＯＣは非常に重要な情報であり、記録データを保護するために、例えば一時停止時などシーンの途中でＴＯＣを記録するのが有効である。
【０００４】
【発明が解決しようとする課題】
しかし、上記従来の技術では、ＴＯＣの記録はユーザーの制御により記録するように構成されていたので、場合によっては、長時間に渡ってＴＯＣが記録されないことがあった。
【０００５】
このような場合、シーン記録中で電源が切れるなどのような、何らかの理由でシーン記録が正常に終了しなかった場合には、該当シーンを正しく再生することができないという問題があった。
【０００６】
本発明は上述の問題点にかんがみ、正常にシーン記録が終了しなかった場合でも、途中までは正常に再生することができるように動画像を記録媒体に記録できるようにすることを目的とする。
【０００７】
【課題を解決するための手段】
本発明の動画像記録装置は、入力された動画像信号と音声信号とを合成した記録データを一時記憶する一時記憶手段と、記録開始から記録停止までの間、記録期間と不記録期間とを交互に繰り返しながら、前記一時記憶手段に記憶された動画像信号と音声信号とを前記記録データのデータレートよりも高いレートで記録媒体に記録する記録手段と、前記入力された音声信号のレベルがある一定値よりも小さいことを検出する音声変化検出手段と、前記記録媒体のインデックス記録領域をシークし、前記記録媒体に記録された動画像信号と音声信号とを再生するために必要なインデックス情報を前記記録媒体に記録するインデックス記録手段とを備え、前記インデックス記録手段は、前記動画像信号と音声信号の記録停止に応じて前記インデックス情報を記録すると共に、前記記録開始から記録停止までの間に前記音声変化検出手段の検出出力があった場合には、前記不記録期間に前記インデックス記録領域をシークして前記インデックス情報を記録することを特徴とする。
【０００８】
本発明の動画像記録方法は、入力された動画像信号と音声信号とを合成した記録データを一時記憶する一時記憶手段に記憶された動画像信号と音声信号とを、記録開始から記録停止までの間、記録期間と不記録期間とを交互に繰り返しながら、前記記録データのデータレートよりも高いレートで記録媒体に記録する記録工程と、前記入力された音声信号のレベルがある一定値よりも小さいことを検出する音声変化検出工程と、前記記録媒体のインデックス記録領域をシークし、前記記録媒体に記録された動画像信号と音声信号とを再生するために必要なインデックス情報を前記記録媒体に記録するインデックス記録工程とを備え、前記インデックス記録工程においては、前記動画像信号と音声信号の記録停止に応じて前記インデックス情報を記録すると共に、前記記録開始から記録停止までの間に前記音声変化検出工程において検出出力があった場合には、前記不記録期間に前記インデックス記録領域をシークして前記インデックス情報を記録することを特徴とする。
【００１０】
【作用】
本発明は上述のように構成したので、シーン記録を行っている場合には、音声信号が変化する度に、記録媒体にインデックス情報が記録されるので、シーン記録が正常に終了しなかった場合でも、シーン記録を開始してから音声信号が変化する時点までは正常に再生することができるように動画像を記録媒体に記録することができる。
【００１１】
【発明の実施の形態】
以下、本発明の動画像記録装置及び動画像記録方法の実施の形態を詳細に説明する。
図１は、本発明の実施の形態を最もよく表わす動画像記録装置のブロック図である。図１において、１０４は画像メモリ、１０５は第１のスイッチ、１０６は加算器、１０７はＤＣＴ回路、１０８は量子化回路である。
【００１２】
また、１０９は可変長符号化回路、１１０は逆量子化回路、１１１はＩＤＣＴ回路、１１２は加算器、１１３は動き補償予測回路、１１４は第２のスイッチ、１１５はバッファ、１１６はレート制御回路であり、１１７は記録媒体である。
【００１３】
次に、図１を参照しながら動画像記録装置の動作を説明する。
画像信号は、１フレーム単位に画像メモリ１０４に入力される。この画像メモリ１０４は、複数フレームを記憶できるメモリ容量を持っており、入力されたフレームの順番を入れ替えて出力する。
【００１４】
図２を用いて、画面並び替えを説明する。図２におけるフレーム入力順序説明図に示すように、画像メモリ１０４に第１フレーム、第２フレーム、第３フレーム、…とフレーム順番に入力された画像信号は、フレーム出力順序説明図に示すように並び替えされ、第３フレーム、第１フレーム、第２フレーム、…のような順番で出力される。
【００１５】
上記画面入れ替えは、図３に表わす符号化説明のように、イントラ符号化及びインター符号化を行うために必要な並び替えである。上記イントラ符号化とは、フレーム内のデータのみで符号化するものであり、図３のＩピクチャを生成する符号化である。また、インター符号化とは、フレーム間予測も含めて符号化するものであり、図３のＰ及びＢピクチャを生成する符号化である。
【００１６】
図１に戻り、イントラ符号化とインター符号化とに分けて説明する。イントラ符号化する場合、第１のスイッチ１０５は第１の端子Ａ側に倒れている。この状態においては、画像メモリ１０４から出力された画像データは、第１のスイッチ１０５を介して、ＤＣＴ回路１０７に入力されて直交変換される。
【００１７】
ＤＣＴ回路１０７で直交変換された画像データは、レート制御回路１１６により決定された量子化係数に従い量子化回路１０８で量子化される。量子化された画像データは、逆量子化回路１１０と可変長符号化回路１０９に入力される。また、画像メモリ１０４から出力された画像データは、動き補償予測回路１１３に入力される。
【００１８】
量子化された画像データは、逆量子化回路１１０で逆量子化され、ＩＤＣＴ回路１１１でＩＤＣＴされ、ＩＤＣＴされた画像データは、第２のスイッチ１１４が０ＦＦされている状態において、動き補償回路１１３に入力される。動き補償予測回路１１３は、次のインター符号化のために予測画像を出力する。また、上記量子化された画像データは、可変長符号化回路１０９に入力されて可変長符号化され、その後バッファ１１５に入力される。
【００１９】
一方、音声データは符号化器１２３で符号化された後、バッファ１２４に入力される。そして、上記バッファ１１５内に入力された画像データと、上記バッファ１２４に入力された音声データは、ＭＰＸ１２５により画面と音声の同期をとるように合成され、入力データレートよりも高いレートで記録媒体１１７に記録される。
【００２０】
一方、入力画像データをインター符号化する場合、第１のスイッチ１０５は第２の端子Ｂ側に倒れる。この場合、画像メモリ１０４から出力された画像データは、第１のスイッチ１０５を介して動き予測回路１１３からの予測画像とを減算器１０６で減算される。
【００２１】
減算器１０６は、時間軸方向の冗長度を落とすために設けられているものである。減算器１０６で時間軸方向の冗長度を落とした画像データは、ＤＣＴ回路１０７に入力され、上述したように直交変換される。
【００２２】
ＤＣＴ回路１０７で直交変換された画像データは、レート制御回路１１６により決定された量子化係数に従い、量子化回路１０８で量子化される。そして、上記量子化された画像データは、逆量子化回路１１０と可変長符号化回路１０９に入力される。また、画像メモリ１０４から出力された画像データは、動き補償予測回路１１３に入力される。
【００２３】
量子化された画像データは、逆量子化回路１１０で逆量子化され、ＩＤＣＴ回路１１１でＩＤＣＴされる。上記ＩＤＣＴされた画像データは、第２のスイッチ１１４がＯＦＦされている状態において、動き補償回路１１３に入力される。
【００２４】
また、第２のスイッチ１１４がＯＮされている状態においては、加算器１１２で動き補償予測回路１１３からの予測画像と加算され復号画像になる。この復号画像は、次の画像符号化のために、動き補償予測回路１１３に入力される。
【００２５】
動き補償予測回路１１３は、予測画像と動きベクトルを出力する。動きベクトルは、可変長符号化回路１０９に入力される。また、次のインター符号化のために予測画像を出力する。量子化されたデータは可変長符号化回路１０９に入力され、可変長符号化されてバッファ１１５に入力される。
【００２６】
一方、音声データは、符号化器１２３で符号化された後、バッファ１２４に入力され、バッファ１１５内の画像データとバッファ内１２４の音声データはＭＰＸ１２５により、画面と音声の同期をとるように合成され、入力データレートよりも高いレートで記録媒体１１７に記録される。
【００２７】
次に、本発明の重要ポイントであるＴＯＣの記録について説明する。
音声変化検出回路１２０は、図５に示すように、音声入力信号の音声レベルがある一定値Ａｔｈよりも小さい期間が、ある一定時間Ｔｔｈ以上連続した場合に、ＴＯＣ制御回路１２２へ信号を出力する。ＴＯＣ制御回路１２２は、上記制御信号を検出すると、ＴＯＣメモリを介して、記録媒体１１７に画像データを記録していない期問を利用してＴＯＣを記録する。
【００２８】
また、ＴＯＣ制御回路１２２は、記録停止時あるいは記録一時停止時にもＴＯＣメモリ１２１を介して、記録媒体１１７に画像データを記録していない期間を利用してＴＯＣを記録する。
【００２９】
図４は、上記ＴＯＣの記録タイミングを説明するための図である。図４中の★印は、上記画面変化検出回路が大きな音声変化を検出したことを示している。シーン１では、音声変化検出（ａ）、一時停止（ｂ）、記録停止（ｃ）のタイミングでＴＯＣをＴＯＣ記録領域へ記録する。
【００３０】
上記のように、画像データはバッファ１１５を介して記録媒体１１７へ記録されており、画像データのデータレートより高いレートで記録することが可能である。したがって、画像データ記録中においても不記録の期問があり（図４（ｂ）の斜線部）、画像データ記録中においても、ＴＯＣ記録領域をシークしてＴＯＣをＴＯＣ記録領域へ記録することが可能である。
【００３１】
図４（ａ）に示したように、シーン１では、正常に記録停止が行われているため、すべての記録データを正常に再生することができる。
【００３２】
また、図４（ｂ）に示したように、シーン２では、音声変化検出（ｄ、ｅ）タイミングでＴＯＣ記録領域へＴＯＣを記録することが可能である。この例では、記録停止動作の前に電源が切断され、正常に記録停止が行われていない。
【００３３】
しかし、本実施の形態においては、音声変化検出によりＴＯＣを記録しているので、シーン２の記録開始から最後に音声変化を検出した時点（ｅ）までの間を正常に再生することが可能である。
【００３４】
（本発明の他の実施の形態）
本発明は複数の機器（例えば、ホストコンピュータ、インタフェース機器、リーダ、プリンタ等）から構成されるシステムに適用しても一つの機器からなる装置に適用しても良い。
【００３５】
また、上述した実施の形態の機能を実現するように各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００３６】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００３７】
また、コンピュータが供給されたプログラムコードを実行することにより、上述の実施の形態で説明機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００３８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００３９】
【発明の効果】
以上説明したように、本発明によれば、前記動画像信号と音声信号の記録停止に応じてインデックス情報を記録すると共に、記録開始から記録停止までの間に音声変化の検出出力があった場合には、不記録期間にインデックス記録領域をシークして前記インデックス情報を記録するようにしたので、シーン記録が正常に終了しなかった場合においても、そのシーンの開始から最後に音声変化を検出した時点までの画像データを確実に再生可能に動画像を記録することができる。
【図面の簡単な説明】
【図１】本発明の実施の形態を示すブロック図である。
【図２】画面入れ替えを表わす図である。
【図３】符号化順序を表わす図である。
【図４】ＴＯＣの記録タイミングについて説明するための図である。
【図５】音声変化検出方法を説明するための図である。
【符号の説明】
１０４  画像メモリ
１０５  第１のスイッチ
１０６  加算器
１０７  ＤＣＴ回路
１０８  量子化回路
１０９  可変長符号化回路
１１０  逆量子化回路
１１１  ＩＤＣＴ回路
１１２  加算器
１１３  動き補償予測回路
１１４  第２のスイッチ
１１５  バッファ
１１６  レート制御回路
１１７  記録媒体
【図１】
0003809312.tif 000002
【図２】
0003809312.tif 000003
【図３】
0003809312.tif 000004
【図４】
0003809312.tif 000005
【図５】
0003809312.tif 000006